(57)【要約】      （修正有）【課題】釣場のポイントからポイントへの移動による釣竿と仕掛の保護および保持および釣針への餌の付け替え、仕掛の交換、使用できなくなった仕掛の回収等を簡単に効率よく出来る釣り具の提供。【解決手段】釣竿を延ばし仕掛を穂先に結んだままオモリまたは釣針をフック部２３１に引っ掛けることにより元竿に仕掛を保持するため釣竿を保持するだけでポイントからポイントへの移動できる。仕掛収納器６１０（移動用）は釣針は釣針収納部へその他の仕掛は仕掛収納部にそれぞれ分離収納することで穂先に仕掛を結んだままの状態での移動を可能にする。仕掛収納器と元竿に着脱する着脱台枠３０１は元竿に密着し元竿と強固な装着を可能にしている。仕掛収納器６１０と固定保持する仕掛収納器保持器５１０（固定式）、仕掛収納器保持器５２０（ワンタッチ式）、仕掛収納器保持器５３０（ワンタッチ固定式）等の組み合わせにより効率よくできる。【選択図】図１
2019037179.tif 000002
【特許請求の範囲】
【請求項１】
釣竿の元竿の先端部に接着固定した本体のフック金に仕掛の釣針又はオモリを引っ掛けて仕掛を常時保持することを可能にすることを特徴とする釣具。
【請求項２】
仕掛の収納部内に仕掛の釣針とその他の仕掛を分離収納することで仕掛の収納、予備の仕掛の連続収納と取替え、仕掛の回収廃棄がそれぞれ簡単に出来ることを特徴とする釣具。
【請求項３】
釣竿に着脱可能とする着脱部を有し請求項２の保持を固定式またはワンタッチ式またはワンタッチ固定式の機能を有し請求項２を保持することを特徴とする釣具。
【発明の詳細な説明】
【技術分野】
【０００１】
この発明は、釣竿を常時保持している元竿上で餌の付け替えから仕掛の保持交換回収を可能にする釣具に関するものである。
【背景技術】
【０００２】
魚釣り（ここでは生餌釣）は、魚が居そうな所（以下ポイントという）に釣竿（元竿の中に穂先までが収納できる釣具）の穂先に結んだ仕掛の釣針に魚が好みそうな新鮮な餌を付けポイントに投入することである。ここでいう仕掛とは、穂先（釣竿の先端）に結ぶ釣糸から目印やオモリを含め釣針までの仕組みで使用する釣竿の全長より短く作製したものである。効率よく魚釣りをするには釣場の次々に変化する立体的な空間のなかで障害物（木の枝や蜘蛛の巣又は倒木や岩等）を避けながら釣針をポイントの水面上に投入する投入回数をより多くすることであるが障害物と仕掛のトラブルを避けることは困難である。その為に事前に釣行しようとする釣場の環境を想定し釣竿の選択とその仕掛の長さを決め数種類、また障害物と仕掛のトラブル発生回数を想定しそれぞれの仕掛を数セット作製し釣場での仕掛の作製を無くすように準備する。そして釣場では障害物から釣竿や仕掛を保護しながら保持することが重要となる。また渓流から源流域の釣場では大岩あり滝ありの沢登りでありその都度障害物を回避するための移動に伴う釣竿と仕掛の保護または保持等の対策に問題があった。
【先行技術文献】
【特許文献】
【０００３】
【特許文献１】特開２０００−３５０５４３（段落番号０００３、図１）
【特許文献２】実登３０２４１７５（段落番号０００３〜０００７、図２）
【発明の概要】
【発明が解決しようとする課題】
【０００４】
効率良く魚釣りをするには釣針、仕掛の交換、使用できなくなった仕掛の回収、ポイントからポイントへの移動による釣竿と仕掛の保護および保持等をそれぞれ解決する事が釣果につながるという課題があった。
【０００５】
この発明は、穂先１０２に仕掛１５０を結んだまま常時保持している元竿１０１に接着固定したフック２００のフック部２３１に釣竿１００の長さを調節しておもり１５３または釣針１５１を引っ掛けることによりポイントからポイントへの移動による釣竿と仕掛の保護をする。またおもり１５３を引っ掛けることにより釣針１５１への餌の付け替えを容易にする釣具と元竿１０１に装着できる着脱可能な着脱台枠３００にそれぞれに仕掛収納器６００への仕掛１５０の巻取りを補助する仕掛案内枠３８０を搭載した３種類の仕掛収納器保持器５００と釣針１５１とその他仕掛１５０を隔離収納する３種類の仕掛収納器６００を釣り場の状況にあわせ自由に組み合わせることで穂先１０２に仕掛１５０を結んだまま釣竿１００と仕掛１５０の収納ができる仕掛収納器（移動用）６１０と元竿１０１を保持したままで仕掛１５０を連続収納する仕掛収納器（予備用）６３０による仕掛の交換および使用できなくなった仕掛の回収廃棄として仕掛収納器（回収用）６５０等により効率良く魚釣りを提供する釣具である。
【課題を解決するための手段】
【０００６】
本発明は、請求項１は釣竿の元竿の先端部に接着固定した本体のフック金より釣竿に結んだ仕掛の長さが短い範囲において仕掛の釣針又はオモリを本体のフック金に引っ掛けて仕掛を常時保持することを可能にすることを特徴とする釣具である。請求項２は釣竿に結んだままでの釣竿と仕掛の収納および仕掛の交換、回収廃棄をそれぞれ可能とする機能を有した仕掛保持器である。請求項３は元竿に着脱を可能とする着脱機能を有し釣場に応じた仕掛収納器の取付け取外しを可能とすることを特徴とする釣具である。
【０００７】
この発明に係わる釣具においては、釣竿の元竿に接着固定したフックに釣針またはオモリを引っ掛けた状態で仕掛を常時保持できるものと、仕掛の収納、交換、回収ができる仕掛収納器と釣竿に着脱可能な固定部を有し仕掛保持器の取付け取外しを可能とするものである。
【発明の効果】
【０００８】
釣場の次々に変化するポイントの環境（障害物）による立体的な空間のなかで仕掛の長さが釣竿より短い範囲において釣竿の長さを調節しオモリまたは釣針をフックに引っ掛けることにより簡単に元竿に仕掛を保持することができるため釣竿を保持するだけでポイントからポイントへの移動に集中できる。またオモリをフックに引っ掛けることにより釣針を常に保持する必要が無くなり餌の付け替えが楽になる。さらに仕掛の収納、交換、回収が簡単に出来る仕掛収納器を釣竿に着脱可能な固定部を有した仕掛保持器台に取付けることで仕掛の収納、交換、回収廃棄が簡単にできる効率の向上と相まってポイントからポイントによる移動から魚釣を再開することも容易にできるため釣の楽しみが満喫できる。
【図面の簡単な説明】
【０００９】
【図１】本発明の釣具を装着した状態である。
【図１−１】図１のＡ−Ａ線断面図で本発明の釣具である。
【図２】実施の形態２図で本発明の釣具である。
【図２−１】着脱台枠の断面図である。
【図２−２】図２の仕掛保持器台１の断面図である。
【図２−３】図２のワンタッチ固定仕掛保持器台の断面図である。
【図２−４】図２の固定仕掛保持器台の断面図である。
【図２−５】図２の着脱台枠の組立図である。
【図３】実施の形態２（固定式）の図で本発明の釣具である。
【図３−１】図３の構成図である。
【図４】実施の形態２（ワンタッチ式）の図で本発明の釣具である。
【図４−１】図４の構成図である。
【図５】実施の形態２（ワンタッチ固定式）の図で本発明の釣具である。
【図５−１】図５の構成図である。
【図６】実施の形態３（移動用仕掛収納器）の図で本発明の釣具である。
【図６−１】図６におけるＢ−Ｂ線断面図である。
【図６−２】図６における仕掛の収納状態を示した図である。
【図６−３】図６−２におけるＣ−Ｃ線断面図である。
【図７】実施の形態３（予備用仕掛収納器）の使用例図で本発明の釣具である。
【図７−１】図７−１におけるＤ−Ｄ線断面図である。
【図７−２】図７における仕掛の収納状態を示した図である。
【図７−３】図７−２におけるＥ−Ｅ線断面図である。
【図８】実施の形態３（回収用仕掛収納器）の使用例図で本発明の釣具である。
【図８−１】図８におけるＦ−Ｆ線断面図である。
【図８−２】図８における仕掛の収納状態を示した図である。
【図８−３】図８−２におけるＧ−Ｇ線断面図である。
【発明を実施するための形態】
【００１０】
実施の形態１．
図１の拡大図が本発明の釣具フック２００を両面テープで元竿１０１に接着固定したものである。図１−１で示すようにフック装着台２１０と元竿１０１の接触面を両面テープで接着固定したものである。フック棒２３０（ステンレスバネ線１．０ｍｍ）のフック部２３１の形状は幅１．５ｍｍ長さ５ｍｍのＵ字形に加工したもので長さ１２ｍｍのパイプ２２０（ステンレスパイプ内径１．０ｍｍ）内に通し３ｍｍ程度出したところで切断し終端から１ｍｍの部分をペンチ等で咬み潰すことで止め部２３２になりパイプ２２０からフック棒２３０が抜けることなく回転する。フック装着台２１０（厚さ０．１ｍｍ）は楕円形状で外径１５ｍｍ程度に曲げた状態でフック装着台２１０の中心にパイプ２２０を半田溶接２４０により固定したのがフック２００である。フック２００は元竿１０１に両面テープ２５０で接着固定する。フック棒２３０のフック部２３１は未使用時にはパイプ２２０を軸にして右側又は左側に装着台２１０の上面に倒れ元竿１０１上面から１．６ｍｍの高さ寸法である。装着台２１０でフック棒２３０のフック部２３１を元竿に対し上向きに引き出すことでフック棒２３０はパイプ２２０に固定される。フック２００は釣竿１００の穂先１０２に結ばれた仕掛の長さの釣針又はオモリまでの位置がフック２００より短い場合にかぎりフック部２３１に釣針又はオモリを引っ掛け元竿１０１上で仕掛を保持するものである。
【００１１】
実施の形態２．
上記の実施の形態１では元竿１０１にフック２００を接着固定することで常時釣竿に仕掛を保持できることを説明したが、ポイントからポイントへの移動や障害物から仕掛の収納、交換、回収が簡単に元竿１０１上で出来るようにしたのが実施の形態２または実施の形態３である。図２は、元竿１０１に着脱可能な着脱台枠３００を装着した構成図である。図２−１は元竿１０１に装着する着脱台枠３００の着脱部３１０の構成図である。ＣＤ管片サドルの平面形状の円弧部を台枠３１１としマジックテープ（登録商標）製のバンド３１２との接続面３１４になる表面の先端部の厚みを薄くし元竿１０１との接着面側に段差が付かないようにバンド３１２に溶着することで滑らかな平面形状の接続面と接続力の強化とを図っている。台枠３１１と台枠３１１とバンド３１２との接続面までにゴム製のゴム３１３を両面テープ３１５で貼ることでバンド３１２と台枠３１１の接続面が台枠３１１と同様な平面形状の円弧面となり着脱台枠３００と元竿１０１との密着面を形成する。バンド３１２で元竿１０１に装着することでゴム３１３が元竿１０１に密着し着脱台枠３０００と元竿１０１との摩擦抵抗を高め着脱部３１０が元竿１０１とのねじれに強い強固な装着を可能にしている。図２−２はワンタッチ保持器台３５０の断面図である。塩ビ製のパイプ３５１の内部にはめ込む取付けナット３５２はスナップファスナー下側パーツ凹部内にナット３５３を圧延加工した袋座金３５４内にナット３５３を圧入した一体構造である。パイプ３５１の内部で接触する取付けナット３５２の面にボンド塗布後圧入することで取付けナット３５２はパイプ３５１内で密着固定しパイプ３５１と取付けナット３５２の中心線のズレルを防止する。図２−３はワンタッチ固定保持器台３６０の断面図でパイプ３５１の上下に取付けナット３５２を組み込んだものである。図２−４は固定保持器台３７０の断面図でワンタッチ固定保持器台３６０のパイプ３５１の内部に共回り防止部３５５としてバネ３６３座金（４Ｍ）３６５座金（３Ｍ）３６４の順で組み込み図１の仕掛収納器６００の回転による共回りを防止するものである。図２−５は着脱台枠３００の組立図である。着脱部３１０を特殊座金３３０で挟み補強座金３４０までをビス３２０で通しワンタッチ保持器台３５０またはワンタッチ固定保持器台３６０または固定保持器台３７０にねじ込み組み立てる。その後仕掛案内３８０仕掛収納器受け台３９０と順にそれぞれに組込み込み補強座金３４０と仕掛収納器受け台３９０で挟まれた仕掛案内３８０のスムーズな回転を確認した位置で仕掛収納器受け台３９０をそれぞれパイプ３５１にボンドで接着固定して仕上げたものが着脱台枠３００である。特殊座金３３０はビス３２０と着脱台枠３００のねじ込みによる着脱部３１０のビス穴の広がり破れ等による損傷を防ぐ。また仕掛保持器台側３３２は着脱部３１０ビス３２０補強座金３４０それぞれの中心軸のズレを抑制するものである。特殊座金３３０はビス３２０による着脱部３１０と着脱台枠３００との連結のグラツキを防止し強固な組立を実現している。ビス３２１と固定保持器台３７０との組み合わせが着脱台枠（固定式）３０１でありビス３２１とワンタッチ固定保持器台３６０との組み合わせが着脱台枠（ワンタッチ固定式）３０３でありビス３２２とワンタッチ保持器台３５０との組み合わせが着脱台枠（ワンタッチ式）３０２である。
【００１２】
実施の形態３．
図３は着脱台枠（固定式）３０１と仕掛収納器保持器（固定式）５１０で仕掛収納器６００を保持した図である。図３−１のスペーサー４１０は着脱台枠（固定式）３０１で仕掛収納器６００を保持し仕掛収納器６００の回転を円滑にする。仕掛保持器５００は取付け摘み５１２に滑り座金５１３仕掛収納器押え５１４を順次組み込み外れ止め５１５で止めている。滑り座金５１３はスペーサー４１０と仕掛収納器６００の回転時に取付け摘み５１２との摩擦抵抗を軽減する。図４は着脱台枠（ワンタッチ式）３０２と仕掛収納器保持器（ワンタッチ固定式）５３０で仕掛収納器６００を保持した図である。図４−１の仕掛収納器保持５２２は円錐形の形状で仕掛収納器６００を保持するためスペーサー４２０と仕掛収納器保持５２２は共に回転するものである。調整摘み５２３内に組み込んだオニメナット５２４により着脱台枠３００着脱台枠（ワンタッチ式）３０２ビス３２０（Ｍ４×１６）３２２にねじ込む構造である。ナット内臓摘み５１３を時計回りまたは反時計回りに回すことで仕掛収納器保持５１２内を移動し仕掛収納器保持５１２との接触抵抗を変えることで仕掛収納器６００の回転抵抗を調節する。図５は着脱台枠（ワンタッチ固定式）３０３とワンタッチ保持器台３５０で仕掛収納器６００を保持した図である。図５−１のアタッチメント４３０の上部形状は円錐形状のゴム座金５３１の外径寸法に会わせた溝でゴム座金５３１を保持する。仕掛収納器締付摘み５３２を時計周りに回すことにより仕掛収納器６００の内径寸法より小さい仕掛収納器固定式押え５３２がゴム座金５３１を圧迫するとゴム座金５３１は挫屈する。挫屈したゴム座金５３１の外径寸法は仕掛収納器６００の内径寸法より大きくなりゴム座金として仕掛収納器６００を保持する。仕掛収納器締付摘み５３２を反時計周りに回すことによりゴム座金５３１の外径寸法は仕掛収納器６００の内径寸法より小さくなり着脱台枠（ワンタッチ固定式）３０３から仕掛収納器６００を簡単に取り外すことができるものである。仕掛収納器締付摘み５３２は摘み５３３に滑り座金５３４仕掛収納器固定式押え５３５を順次組み込み摘み外れ止め５３６で止めている。
【００１３】
実施の形態４．
図６は仕掛収納器（移動用）６１０の図でポイントからポイントへの移動による仕掛の保護管理等を提供するものである。ハンドル６１１を無負荷の状態で時計回りに回すと図６−１で仕掛収納器（移動用）６１０内からハンドル６１１の回転にあわせ内から時計回りに釣針受け部６１３が出てくる構造である。仕掛収納器（移動用）６１０は釣針の先端を収納する釣針収納部６１９と釣針以外の仕掛を収納する仕掛収納部６２０を設けたものである。図６−２は仕掛収納器（移動用）６１０に仕掛を収納した図で図６−３は図６−２の断面図である。仕掛案内３８０の枠内から釣針受け６１５を出し釣針受け６１５に釣針１５１の先端が釣針収納部６１５内に先に入るように掛けハンドル６１１を時計回りに回転することにより仕掛１５０は仕掛案内３８０の枠内を通り釣針１５１は仕掛収納器（移動用）６１０の釣針収納部６１９内に釣針１５１以外の仕掛１５０は仕掛収納部６２０内にそれぞれ自動的に収納する。図６−４は仕掛収納器（移動用）６１０に仕掛１５０を収納した図である。仕掛１５０を仕掛収納器（移動用）６１０から取り出すときに釣針１５１に釣針１５１以外の仕掛１５０がからむことはない。また釣竿から仕掛１５０を外すときはハンドル６１１に組み込まれた仕掛止めゴム６１２で外し輪１５６を挟むことにより仕掛収納器（移動用）６１０に巻いた状態の仕掛１５０で保管することができる。仕掛収納器（移動用）６１０から外した仕掛１５０を釣竿に取付けるときは外し輪１５６を糸止めゴム６１２から外し取り竿の穂先に結び仕掛収納器（移動用）６１０から戻すことで完了する。図７は仕掛収納器（予備用）６３０の構成図であり図７−１は図７の断面図である。仕掛収納器（予備用）６３０は隔て壁６３６により釣針収納部６３５と仕掛収納部６３７に区切ることで仕掛１５０を連続して収納することができる機能を有するものである。図７−２は仕掛１５０を連続して収納することが出来ることを示した図であり図７−３は図７−２の断面図で釣針収納部６３５の仕掛１５０の収納状態を示している。最初の仕掛１５０の釣針１５１を釣針収納部６３５内の釣針掛６３４に掛け釣針１５１からのハリス１５２を隔て壁６３６の凹部から仕掛収納部６３７内に通しそのまま残りの仕掛１５０を巻き取り、外し輪１５６をハンドル６３１内に組み込まれたハリス止めゴム６３２で保持する。続いて予備の仕掛１５０を仕掛収納器（予備用）６３０に巻き取る場合は、ハリス止めゴム６３２で保持している外し輪１５６を外し仕掛収納部６３７内から隔て壁６３６の凹部を通し釣針収納部６２５内にする。その外し輪１５６に次の仕掛１５０の釣針１５１を引っ掛け釣針１５１からのハリス１５２を隔て壁６２６の凹部から仕掛収納部６２７内に通しそのまま残りの仕掛１５０を巻き取り、外し輪１５６をハンドル６３１内に組み込まれたハリス止めゴム６３２で保持する。以上の手順を繰り返すことで図７−３に示すように隔て壁６２６により釣針１５１と釣針１５１以外の仕掛１５０を別々に収納するために連続的に収納した仕掛１５０を仕掛収納器（予備用）６３０から取り出すときは最後の仕掛１５０までからむことなく順次取り出せる機能を有している。図８は不要になった仕掛や使用できなくなった仕掛等を回収する仕掛収納器（回収用）６５０の構成図であり図８−１は図８の断面図である。図８−２は仕掛収納器（回収用）６５０に仕掛１５０を収納した状態を示した図であり図８−３は図８−２の断面図で仕掛収納部６５５内での仕掛１５０の収納状態を示している。仕掛収納部６５５内の釣針掛（４箇所）６５２に釣針１５１を引っ掛け仕掛収納部６５５内に仕掛１５０を巻きの竿取付け輪１５５と外し輪１５６の結び目を隔て壁６５４の凹部から仕掛糸止部６５３内に挟むことで仕掛を回収することが出来る機能を有するものである。また釣針１５１を失くした仕掛１５０の場合は仕掛１５０を仕掛収納部６５５内で重ね巻きにより仕掛の巻き緩みを防止し仕掛１５０の端を隔て壁６５４の凹部から仕掛糸止部６５３内に挟むことで仕掛を回収することが出来る。仕掛収納器（回収用）６５０に回収した仕掛は釣針掛（４箇所）６５２により仕掛収納部６３５の巻き面より浮いた状態で巻かれている。図８−１で示すように仕掛切断口（４箇所）６５６からナイフ等で仕掛を簡単に切断することができるため仕掛収納器（回収用）６５０からの仕掛の取り出し及び廃棄等の後処理が簡単にできる。以上により元竿１０１上に接着固定したフック２００及び元竿１０１に着脱可能な着脱台枠３００を組み込んだ３種類の仕掛収納器保持器５００と３種類の仕掛収納器６００の自由な組み合わせにより釣り場に応じた楽しい魚釣が満喫できる。
【００１４】
上記説明では、元竿１０１上での餌の付け替えから仕掛の保持および収納、取替え、回収廃棄が簡単に出来ることについて述べたが、その他の釣等にも利用できることはいうまでもない。
【符号の説明】
【００１５】
１００：釣竿
１０１：元竿
１０２：穂先
１５０：仕掛
１５１：釣針
１５２：ハリス
１５３：おもり
１５４：目印
１５５：竿取付輪
１５６：外し輪
２００：フック
２１０：装着台
２２０：パイプ
２３０：フック棒
２３１：フック部
２３２：止め部
２４０：半田溶接部
２５０：両面テープ
３００：着脱台枠
３０１：着脱台枠（固定式）
３０２：着脱台枠（ワンタッチ式）
３０３：着脱台枠（ワンタッチ固定式）
３１０：着脱部
３１１：台枠
３１４：接続面
３１２：バンド
３１３：ゴム
３１５：両面テープ
３２０：ビス
３２１：ビス短（Ｍ４Ｘ８）
３２２：（Ｍ４Ｘ１６）
３３０：特殊座金
３３１：着脱側
３３２：補強座金側
３４０：補強座金
３５０：ワンタッチ保持器台
３５１：パイプ
３５２：取付ナット（Ｍ４）×２
３５３：ナット（Ｍ４）
３５４：袋座金
３５５：共回り防止部
３５６：バネ
３５７：座金（３Ｍ）
３５８：座金（４Ｍ）
３６０：ワンタッチ固定保持器台
３７０：固定保持器台
３８０：仕掛案内枠
３９０：仕掛収納器受け台
５００：仕掛収納器保持器
５１０：仕掛収納器保持器（固定式）
４１０：スペーサー
５１２：取付け摘み
５１３：滑り座金
５１４：仕掛収納器押え
５１５：外れ止め
５２０：仕掛収納器保持器（ワンタッチ式）
４２０：スペーサー
５２２：仕掛収納器保持
５２３：調整摘み
５２４：オニメナット
５３０：仕掛収納器保持器（ワンタッチ固定式）
４３０：アタッチメント
５３１：ゴム座金
５３２：仕掛収納器締付摘み
５３３：摘み
５３４：滑り座金
５３５：仕掛収納器固定式押え
５３６：摘み外れ止め
６００：仕掛収納器
６１０：仕掛収納器（移動用）
６１１：ハンドル
６１２：仕掛止めゴム
６１３：釣針受け部
６１４：外枠
６１５：釣針収納部
６１６：仕掛収納部
６４０：仕掛取り出し口
６３０：仕掛収納器（予備用）
６３１：ハンドル
６３２：ハリス止めゴム
６３３：仕切り
６３４：釣針掛
６３５：釣針収納部
６３６：隔て壁
６３７：仕掛収納部
６３８：仕掛取り出し口
６５０：仕掛収納器（回収用）
６５１：ハンドル
６５２：釣針掛（４箇所）
６５３：仕掛糸止部
６５４：隔て壁
６５５：仕掛収納部
６５６：仕掛切断口（４箇所）
【図１】
2019037179.tif 000003
【図１−１】
2019037179.tif 000004
【図２】
2019037179.tif 000005
【図２−１】
2019037179.tif 000006
【図２−２】
2019037179.tif 000007
【図２−３】
2019037179.tif 000008
【図２−４】
2019037179.tif 000009
【図２−５】
2019037179.tif 000010
【図３】
2019037179.tif 000011
【図３−１】
2019037179.tif 000012
【図４】
2019037179.tif 000013
【図４−１】
2019037179.tif 000014
【図５】
2019037179.tif 000015
【図５−１】
2019037179.tif 000016
【図６】
2019037179.tif 000017
【図６−１】
2019037179.tif 000018
【図６−２】
2019037179.tif 000019
【図６−３】
2019037179.tif 000020
【図７】
2019037179.tif 000021
【図７−１】
2019037179.tif 000022
【図７−２】
2019037179.tif 000023
【図７−３】
2019037179.tif 000024
【図８】
2019037179.tif 000025
【図８−１】
2019037179.tif 000026
【図８−２】
2019037179.tif 000027
【図８−３】
2019037179.tif 000028